(57)【要約】【課題】全く外れる恐れのなく、安全・確実に接続することができる特定構造の接続部を有し、及び安定・確実に引っ掛けることができるフックの形状を有するＡＶ接続フック付シャントキャップの提供。【解決手段】本考案のＡＶ接続フック付シャントキャップは、管状本体部１と該管状本体部の一端部に軸方向に延びる一対のかぎ型係合部２を有し、前記かぎ型係合部には管状本体部に連結部材で連結された蓋体４を有し、他端部には接続部８を有し、更に管状本体部の表面には径方向に対向してループ及びフックを有する。またメス型のＡＶ接続フック付シャントキャップＩとオス型のＡＶ接続フック付シャントキャップＩＩとの組合せがよい。前記かぎ型係合部２の内側に軸方向に一対の回転止突起３ａ、３ｂを有する。更に前記フック６の形状は管状本体部に近接する部位に段差６ｃを有する。【選択図】図１
0003180481.tif 000002
【実用新案登録請求の範囲】
【請求項１】
管状本体部と該管状本体部の一端部に軸方向に延びる一対のかぎ型係合部を有し、前記かぎ型係合部を有する管状本体部には連結部材で連結された蓋体を有し、他端部には接続部を有し、更に管状本体部の表面にループ及びフックを有することを特徴とするＡＶ接続フック付シャントキャップ。
【請求項２】
前記管状本体部の一端部には軸方向に延びる一対のかぎ型係合部に代えて段差を有する接続用管状体を有しかつ、該接続用管状体の先端側の表面には一対の対向する突起を有し、更に接続用管状体の先端側には連結部材で連結された蓋体を有することを特徴とする請求項１に記載のＡＶ接続フック付シャントキャップ。
【請求項３】
請求項１に記載のＡＶ接続フック付シャントキャップと請求項２に記載のＡＶ接続フック付シャントキャップとの組合せからなることを特徴とするＡＶ接続フック付シャントキャップ
【請求項４】
前記かぎ型係合部の内側に軸方向に一対の回転止突起を有することを特徴とする請求項１に記載のＡＶ接続フック付シャントキャップ。
【請求項５】
前記フックの形状は管状本体部に近接する部位に平面を有しかつその端部に段差を有することを特徴とする前記請求項１乃至請求項４のいずれかに記載のＡＶ接続フック付シャントキャップ。
【考案の詳細な説明】
【技術分野】
【０００１】
本考案は、ＡＶ接続フック付シャントキャップに関するもので、更に詳しくは、体外循環回路等のプライミング処理時における接続関係が容易かつ簡単にでき、取り扱い時における汚染事故がなく、更に、プライミング処理時に外れることがなく、かつ安定して処理ができ、またプライミング液の排出時には、安定した固定ができるフック形状を有するＡＶ接続フック付シャントキャップに関するものである。
【背景技術】
【０００２】
従来、体外循環回路等を用いて透析を行なうことは周知であり、この体外循環回路等を用いて透析を行なう際、生理食塩水等を循環するプライミング処理を行なって体外循環回路内に付着している異物や空気を除去している。使用前の体外循環回路の動脈側コネクターと静脈側コネクターには、それぞれ動脈側コネクターキャップ及び静脈側コネクターキャップを取り付けて異物が付着して汚染されるのを防止していた。したがって、これらいずれかのコネクターキャップを介しかつ接続して循環回路を形成してプライミング処理を行なっていた（例えば、特許文献１、特許文献２参照）。
【０００３】
更にシャントキャップ（又はコネクターキャップともいう。）としては、オス型シャントキャップとメス型シャントキャップがあり、オス型シャントキャップには、シャントキャップ本体には、湾曲したフックとループを有するものが知られ、更に本体部の一方端に嵌合部を有し、この嵌合部は、内側筒部と外側筒部とを有するものが記載され、またメス型シャントキャップは、湾曲したフックとループを有する本体部の一方端に、オス型シャントキャップの一方端に有する内側筒部と外側筒部との間に嵌合し得る係止手段を有するメス型シャントキャップが知られている（例えば、特許文献３参照）。また通常、ループは、透析スタンドに吊るしておくために設けられており、更にフックは、プライミング処理の終了後、処理済み生理食塩水を排出するためにプライミングロートに引っ掛けて固定した後、排出することが行なわれている。
【先行技術文献】
【特許文献】
【０００４】
【特許文献１】実用新案登録第３０５４６６１号（段落０００２、図１、図２）
【特許文献２】特開平１０−３２８２９８（段落０００２）
【特許文献３】特開２０１０−２７９４９４（特許請求の範囲の請求項１、同請求項７、段落０００８、段落００１６、図１の（ｂ）、図２〜図５、図１０、図１４）
【考案の概要】
【考案が解決しようとする課題】
【０００５】
しかしながら、前述の如き特許文献１及び２に記載されている如きシャントキャップは、プライミング処理をする際、循環回路を形成するための接続を目的とし、プライミング処理を容易に行い得るようにしたもので、接続後の外れ防止を考慮したものではないばかりでなく接続する際の異物等の汚染を十分考慮したものでもない。一方、引用文献３に記載のオス型シャントキャップは、外側筒部によって内側筒部の外面を確実にカバーすることにより従来よりも雑菌汚染を防止することができるが、オス型シャントキャップとメス型シャントキャップとの嵌合後、構造上からみて、外れる恐れがあるという問題があった。
【０００６】
そこで、本考案者等は、上記問題点について種々検討するなか、オス型シャントキャップとメス型シャントキャップとを接続する接続部の構造をそれぞれ特定構造とすることにより両者を接続した際、全く外れる恐れがなく、また異物等が付着して汚染される心配もなく、安全・確実に接続することができることを見出し、またプライミングロートにシャントキャップに有するフックを引っ掛けて取り付け、処理後のプライミング処理液を排出する際、安定した引っ掛り方をすることができるフックの形状を見出し、ここに本考案を案出するに至った。
【０００７】
したがって、本考案が解決しようとする課題は、全く外れる恐れがなく、かつ異物等の付着による汚染もなく、安全・確実に接続することができる特定構造の接続部を有し、及び安定・確実に引っ掛けることができるフックの形状を有するＡＶ接続フック付シャントキャップを提供することにある。
【課題を解決するための手段】
【０００８】
本考案の上記各課題は、以下の各考案によってそれぞれ達成される。
【０００９】
（１）管状本体部と該管状本体部の一端部に軸方向に延びる一対のかぎ型係合部を有し、前記かぎ型係合部を有する管状本体部には連結部材で連結された蓋体を有し、他端部には接続部を有し、更に管状本体部の表面にループ及びフックを有することを特徴とするＡＶ接続フック付シャントキャップ。
（２）前記管状本体部の一端部には軸方向に延びる一対のかぎ型係合部に代えて段差を有する接続用管状体を有しかつ、該接続用管状体の先端側の表面には一対の対向する突起を有し、更に接続用管状体の先端側には連結部材で連結された蓋体を有することを特徴とする前記第１項に記載のＡＶ接続フック付シャントキャップ。
（３）前記第１項に記載のメス型のＡＶ接続フック付シャントキャップと前記第２項に記載のオス型のＡＶ接続フック付シャントキャップとの組合せからなることを特徴とするＡＶ接続フック付シャントキャップ。
（４）前記かぎ型係合部の内側に軸方向に一対の回転止突起を有することを特徴とする前記第１項に記載のメス型のＡＶ接続フック付シャントキャップ。
（５）前記フックの形状は管状本体部に近接する部位に平面を有しかつその端部に段差を有することを特徴とする前記第１項乃至第４項のいずれかに記載のＡＶ接続フック付シャントキャップ。
【考案の効果】
【００１０】
本考案の前記（１）に記載のメス型のＡＶ接続フック付シャントキャップは、管状本体部と該管状本体部の一端部に軸方向に一対のかぎ型係合部を有することにより、オス型のＡＶ接続フック付シャントキャップの先端を前記かぎ型係合部に容易に挿入することができるばかりでなく、挿入後、９０°回転させることによりかぎ型と接続用管状体の表面にある係止突起部とが係合して、確実にかつ容易に接続され、外れることがない。また前記かぎ型係合部には該管状本体部に連結された蓋体を有することにより、保存時などにおいてかぎ型係合部を汚染から保護することができる。更に管状本体部の表面には径方向に対向してループ及びフックを有すること、特にフックを有することによりプライミングロートを使用する際、ロートの縁に容易に引っ掛けることができ、また外れるのを防止することができるという優れた効果を奏するものである。本考案の前記（２）に記載のオス型のＡＶ接続フック付シャントキャップは、管状本体部と該管状本体部の一端部には軸方向に延びる段差を有する接続用管状体を有しかつ、該接続用管状体の先端側の表面には一対の対向する突起を有することにより、メス型のＡＶ接続フック付シャントキャップのかぎ型係合部に前記接続用管状体を挿入し９０°回転させると該かぎ型係合部と一対の対向する突起とが係合し、確実にかつ容易に接続され、外れることがない。また該接続用管状体の先端側には連結部材で連結された蓋体が連結されていることにより、保存時などにおいて接続用管状体を汚染から保護することができる。更に管状本体部の表面には径方向に対向してループ及びフックを有すること、特にフックを有することによりプライミングロートを使用する際、ロートの縁に容易に引っ掛けることができ、また外れるのを防止することができるという優れた効果を奏するものである。
【００１１】
また上記の本考案の（３）に記載のＡＶ接続フック付シャントキャップは、前記第１項に記載のＡＶ接続フック付シャントキャップと前記第２項に記載のＡＶ接続フック付シャントキャップとの組合せからなることにより、これらを体外循環回路等に予め接続して置けば、プライミング処理時に両者を接続するだけでよい。更に堅固かつ確実に両者を接続することができ、接続した後は、全く外れる恐れはないという顕著な効果を奏するものである。
【００１２】
上記の本考案の（４）に記載のメス型のＡＶ接続フック付シャントキャップは、前記かぎ型突起部の内側に軸方向に一対の回転止突起を有することにより、前記第１項の考案の効果に加えて、かぎ型突起部に接続用管状体を挿入し９０°回転させることによって回転止突起で止められ、確実にかつ容易に接続され、全く外れる恐れがない。上記の本考案の（５）に記載のＡＶ接続フック付シャントキャップは、前記第１項乃至第４項のいずれかに記載のＡＶ接続フック付シャントキャップにおいて、前記フックの形状は管状本体部に近接する部位に段差を有することにより、プライミングロートに引っ掛けたときに、安定してかつ容易に引っ掛けることができ、また確実に固定され、外れることがないという優れた効果を奏するものである。
【図面の簡単な説明】
【００１３】
【図１】本考案のＡＶ接続フック付シャントキャップを示す側面図である。図１のａは、メス型であり、図１のｂはオス型である。Ａはメス型の先端部の拡大図である。
【考案を実施するための形態】
【００１４】
以下に、本考案の実施の形態を図面で説明するが、本考案は、これに限定されるものではない。本願実用新案登録請求の範囲及び明細書中で、「ＡＶ接続フック付シャントキャップ」の用語において、Ａは動脈側接続部であり、またＶは静脈側接続部である。本考案のＡＶ接続フック付シャントキャップは、管状本体部と該管状本体部の一端部に軸方向に延びる一対のかぎ型係合部を有し、前記かぎ型係合部には管状本体部に連結された蓋体を有し、他端部には接続部を有し、更に管状本体部の表面にループ及びフックを有することを特徴とするものである。
【００１５】
図１において、図１のａは、メス型のＡＶ接続フック付シャントキャップＩであり、Ａはかぎ型突起の拡大図である。図１のａにおいて、管状本体部１は、筒状体からなり、管状本体部１の一端部には一対のかぎ型突起２ａ、２ｂが軸方向に設けられたかぎ型係合部２を有しており、前記かぎ型突起２ａ、２ｂは互いに内側を向いており、かぎ型突起２ａと２ｂの間隔はオス型の嵌合部２２（図１のｂ参照）が軸方向から挿入された場合、挿入可能な間隔を有している。またこのかぎ型係合部の内側には一対の回転止突起３ａ、３ｂが設けられ、かつオス型のＡＶ接続フック付シャントキャップＩＩを挿入した後、９０°回転させたところで回転を留める位置に設けられ、回転を止める役割を果たしている。
【００１６】
本考案のＡＶ接続フック付シャントキャップの管状本体部１には、かぎ型係合部２を覆うための蓋体４が連結部材５を介して接続されており、更に管状本体部１の表面にはフック６及びループ７を有することが好ましく、具体的にはフック６とループ７は管状本体部１の表面に径方向に対抗した箇所に設けられている。しかしながら、フック６とループ７が設けられる位置は管状本体部１の表面であれば特に限定されるものではなく、いずれの場所でもよい。ループ７は管状本体部１との間で輪を構成している。本考案の一部であるフック６は、大きな波形６ａと小さな反転した波形６ｂの形状からなり、かつフック６の大きな波形６ａの一端が管状本体部１の後端部に固定されていると共に、小さな反転した波形６ｂ、即ち小さな谷型波形６ｂがかぎ型係合部２の方向に平行して設けられている。ここで、この小さな谷型波形６ｂの反対面は平面となって、即ち平面端部が段差６ｃを形成しており、更に管状本体部１の面と平行に設けられており、このように管状本体部１の面と平行に設けられていることにより、プライミングロートの縁に引っ掛けるとき、引っ掛け易いばかりでなく、引っ掛けた後、確実に固定されるので、引っ掛けた後、外れることがないという優れた効果を奏するものである。
【００１７】
図１のｂは、オス型のＡＶ接続フック付シャントキャップＩＩであり、先端部はメス型のＡＶ接続フック付シャントキャップＩのかぎ型係合部２に挿入する先端側筒状部２２を後端側筒状部２４の前方に設けられている。また先端側筒状部２２には、対向した位置に一対の係止突起２３ａ，２３ｂを有し、メス型のＡＶ接続フック付シャントキャップＩのかぎ型係合部２に挿入して右方向に９０°回転したところで、係止突起２３ａ、２３ｂは一対の回転止突起３ａ、３ｂに当たって回転が阻止され、メス型のＡＶ接続フック付シャントキャップＩとオス型のＡＶ接続フック付シャントキャップＩＩが嵌合し、外れることなく結合する。メス型のＡＶ接続フック付シャントキャップＩの管状本体部１１の後端側筒状部２４には、先端側筒状部２２を汚れ等から保護するために蓋体２５が連結部材５１に連結されている。更にこの管状本体部１１には、メス型のＡＶ接続フック付シャントキャップＩの管状本体部１に設けられているものと同様のフック２６（大きな波形２６ａ、小さな反転した波形２６ｂ）及びループ２７が設けられ、メス型のＡＶ接続フック付シャントキャップＩの使用時と同様の作用効果を奏するといえる。
【産業上の利用可能性】
【００１８】
本考案では、前述の如き作用効果を有するので、透析する前に、体外循環回路等にメス型のＡＶ接続フック付シャントキャップ及びオス型のＡＶ接続フック付シャントキャップをそれぞれ接続してプライミング処理を行うことができ、したがって、プライミング処理時にメス型のＡＶ接続フック付シャントキャップとオス型のＡＶ接続フック付シャントキャップとの嵌合接続部は全く外れる恐れがなく、安全・確実に接続することができるばかりでなく、手に触れることがなく、異物等の付着による汚染がなく、医療用として実用上極めて有用である。
【符号の説明】
【００１９】
１、１１  管状本体部
２ａ、２ｂ  かぎ型係合部
３ａ、３ｂ  回転止突起
４、２５  蓋体
５、５１  連結部材
６、２６  フック
６ａ、２６ａ  大きな波形
６ｂ、２６ｂ  小さな反転した波形（又は小さな谷型波形）
６ｃ、２６ｃ  段差部
７、２７  ループ
８、２８  接続部
２２  先端側筒状部
２３ａ、２３ｂ  係止突起
２４  後端側筒状部
【図１】
0003180481.tif 000003